(57)【要約】【課題】ボウルの洗浄ノズルの側方や上方も洗浄することができる小便器を提供すること。【解決手段】小便をうけるボウルと、前記ボウルの上方に設けられ前記ボウルを洗浄するための洗浄水を吐出する洗浄ノズルとを備えた小便器において、前記洗浄ノズルから吐出される洗浄水吐水方向が主に前記ボウルの中央に吐出する中央洗浄方向と主に前記ボウルの側方に吐出する側方洗浄方向とに切替えるための吐水方向切替手段を備え、前記洗浄ノズルは基端側が洗浄水を供給するための洗浄装置に可撓性を有する連結管によって前記ボウルから引き出し可能に接続している。【選択図】  図５
2004150013.tif 000002
【特許請求の範囲】
【請求項１】
小便をうけるボウルと、前記ボウルの上方に設けられ前記ボウルを洗浄するための洗浄水を吐出する洗浄ノズルとを備えた小便器において、前記洗浄ノズルから吐出される洗浄水吐水方向が主に前記ボウルの中央に吐出する中央洗浄方向と主に前記ボウルの側方に吐出する側方洗浄方向とに切替えるための吐水方向切替手段を備えたことを特徴とする小便器。
【請求項２】
小便をうけるボウルと、前記ボウルの上方に設けられ前記ボウルを洗浄するための洗浄水を吐出する洗浄ノズルとを備えた小便器において、前記洗浄ノズルは、少なくとも主に前記ボウルの中央に洗浄水を吐出する中央洗浄用ノズルと、主に前記ボウルの側方に洗浄水を吐出する側方洗浄用ノズルとを選択的に取付け可能であることを特徴とする小便器。
【請求項３】
小便をうけるボウルと、前記ボウルの上方に設けられ前記ボウルを洗浄するための洗浄水を吐出する洗浄ノズルとを備えた小便器において、前記洗浄ノズルは基端側が洗浄水を供給するための洗浄装置に可撓性を有する連結管によって前記ボウルから引き出し可能に接続されていることを特徴とする小便器。
【請求項４】
前記連結管が伸縮自在であることを特徴とする請求項３に記載の小便器。
【請求項５】
前記洗浄ノズルは、前記洗浄ノズルから吐出される洗浄水のＯＮ／ＯＦＦを使用者の意志により制御可能な吐水操作手段を備えたことを特徴とする請求項３または請求項４に記載の小便器。
【請求項６】
前記洗浄ノズルは、前記洗浄ノズルから吐出される洗浄水の流量を調節するための吐水量調節手段を設けたことを特徴とする請求項３乃至請求項５に記載の小便器。
【請求項７】
前記洗浄ノズルは、前記吐水操作手段および／または吐水量調節手段を前記洗浄ノズル自体に備えたことを特徴とする請求項５または請求項６に記載の小便器。
【発明の詳細な説明】
【０００１】
【発明の属する技術分野】
本発明は、小便をうけるボウルと、前記ボウルの上方に設けられ前記ボウルを洗浄するための洗浄水を吐出する洗浄ノズルとを備えた小便器に関する。
【０００２】
【従来の技術】
従来、この種の小便器として図７に示されるものがある（例えば、特許文献１参照。）。
【０００３】
この小便器は、小便をうけるボウルと、ボウルの上方に設けられボウルを洗浄するための洗浄水を吐出する洗浄ノズルと、洗浄ノズルから吐出された洗浄水をボウルの前壁の内面に導くための導水段とを備えているので、ボウルの前壁の内面まで洗浄することが可能である。
【０００４】
【特許文献１】
特開平７−２０７７４０号公報
【０００５】
【発明が解決しようとする課題】
しかしながら、この小便器は、洗浄範囲が洗浄ノズルよりも下方の一定範囲であるため、洗浄ノズルの側方や上方には洗浄水が行き届かないので、ボウルの洗浄水が行き届かない部分については、尿はね等により付着した尿が洗浄されずにそのまま放置され、黄ばみや異臭発生等の問題があった。
本発明は、上記課題を解決するためになされたものであり、ボウルの洗浄ノズルの側方や上方も洗浄することができる小便器を提供することを目的とする。
【０００６】
【課題を解決するための手段および作用・効果】
上記目的を達成するために請求項１記載の発明は、小便をうけるボウルと、前記ボウルの上方に設けられ前記ボウルを洗浄するための洗浄水を吐出する洗浄ノズルとを備えた小便器において、前記洗浄ノズルから吐出される洗浄水吐水方向が主に前記ボウルの中央に吐出する中央洗浄方向と主に前記ボウルの側方に吐出する側方洗浄方向とに切替えるための吐水方向切替手段を備えたことを特徴とする。
そうすることにより、通常は小便をよくうけるボウルの中央に洗浄水を吐出する中央洗浄にしておき、必要に応じてボウルの側方に洗浄水を吐出する側方洗浄に切替えて使用することで、ボウルの洗浄ノズルの側方や上方も洗浄でき、黄ばみや異臭発生等を抑制することができる。
【０００７】
また請求項２に記載の発明は、小便をうけるボウルと、前記ボウルの上方に設けられ前記ボウルを洗浄するための洗浄水を吐出する洗浄ノズルとを備えた小便器において、前記洗浄ノズルは、少なくとも主に前記ボウルの中央に洗浄水を吐出する中央洗浄用ノズルと、主に前記ボウルの側方に洗浄水を吐出する側方洗浄用ノズルとを選択的に取付け可能であることを特徴とする。
そうすることにより、通常は小便をよくうけるボウルの中央に洗浄水を吐出する中央洗浄用ノズルを取付けておき、必要に応じてボウルの側方に洗浄水を吐出する側方洗浄用ノズルに取り替えることで、ボウルの洗浄ノズルの側方や上方も洗浄でき、黄ばみや異臭発生等を抑制することができる。さらに、夫々の洗浄ノズルを取替可能としたことにより、洗浄ノズルの詰まり除去、交換等のメンテナンスが行いやすくなる。
【０００８】
そして請求項３に記載の発明は、小便をうけるボウルと、前記ボウルの上方に設けられ前記ボウルを洗浄するための洗浄水を吐出する洗浄ノズルとを備えた小便器において、前記洗浄ノズルは基端側が洗浄水を供給するための洗浄装置に可撓性を有する連結管によって前記ボウルから引き出し可能に接続されていることを特徴とする。
そうすることにより、洗浄ノズルをボウルから引き出すことで、ボウルの洗浄ノズルの側方や上方も洗浄でき、黄ばみや異臭発生等を抑制することができる。
【０００９】
本発明の好ましい態様として請求項４に記載の発明は、連結管が伸縮自在であることを特徴とする。
そうすることにより、洗浄ノズルをボウルに取付けた場合には連結管の長さを短くして収納できるので収納性がよく、また洗浄ノズルをボウルから引き出してボウルを洗浄する場合には連結管が邪魔にならないので清掃性がよい。
【００１０】
本発明の好ましい態様として請求項５に記載の発明は、洗浄ノズルは、前記洗浄ノズルから吐出される洗浄水のＯＮ／ＯＦＦを使用者の意志により制御可能な吐水操作手段を備えたことを特徴とする。
そうすることにより、ボウルの洗浄ノズルの側方や上方を洗浄する場合には、必要な時間だけ洗浄水を吐出させることができるので、洗浄水の過不足がなく、確実に洗浄することや無駄な洗浄水の供給を防止することが可能となる。
【００１１】
本発明の好ましい態様として請求項６に記載の発明は、洗浄ノズルは、前記洗浄ノズルから吐出される洗浄水の流量を調節するための吐水量調節手段を設けたことを特徴とする。
そうすることにより、ボウルの洗浄ノズルの側方や上方を洗浄する場合には、必要な流量の洗浄水を吐出させることができるので、確実に洗浄することや吐出される洗浄水の勢いが強すぎるための洗浄水のボウル外への飛び出しを防止することが可能となる。
【００１２】
本発明の好ましい態様として請求項７に記載の発明は、前記洗浄ノズルは、前記吐水操作手段および／または吐水量調節手段を前記洗浄ノズル自体に備えたことを特徴とする。
そうすることにより、洗浄水の吐水操作および／または流量調節が手元でできるので、ボウルの洗浄ノズルの側方や上方を洗浄する場合の操作性が向上する。
【００１３】
【発明の実施の形態】
以下、本発明の実施の形態を図面に基づいて説明する。
【００１４】
図１は、本発明に係る小便器の第一の実施例の概略図である。
図１において、小便器１０は正面に開口を有するボウル２０と、ボウル２０の上方に設けられボウル２０を洗浄するための洗浄水を吐出する洗浄ノズル３０と、ボウル２０よりも上側の小便器１０に内蔵され、洗浄ノズル３０に洗浄水を供給する図示しない洗浄水供給装置とを備えている。
【００１５】
ボウル２０は、後壁と前壁、側壁および上面と底面によって構成され、正面には前壁の上方を切欠くようにして形成された上下方向に長い開口を有している。後壁の上方には洗浄ノズル３０が取付けられ、後壁および側壁、前壁には洗浄ノズル３０から吐出された洗浄水を前壁の内面に導くための導水段２２を備えている。また、底面の略中央には、ボウル２０でうけた小便や洗浄水を排出するための図示しない排水口が設けられている。図１中Ｓが示す斜線部分は従来の洗浄水が行き届かない部分を示す。スイッチ１４は使用者が洗浄操作する用スイッチを示す。
【００１６】
図２は洗浄ノズルと通水経路の概略図である。図２において、洗浄ノズル３０は、上流側が給水源に接続された洗浄水供給装置Ａの下流側に接続されており、内部にボウル２０の中央に洗浄水を吐出するために洗浄ノズル３０の下方に穿設された吐出口３１に洗浄水を導く中央洗浄経路３８とボウル２０の側方に洗浄水を吐出するために洗浄ノズル３０の両側方に夫々穿設された吐出口３２に洗浄水を導く側方洗浄経路３９の２つの独立した給水経路を備えている。洗浄給水装置Ａは、上流側から順にボウル２０に供給される洗浄水の流量を給水圧力にかかわらず所定の流量に調整するための定流量弁１５と、洗浄水を供給または停止させる開閉弁１６と、洗浄ノズル３０の給水経路を中央洗浄経路３８または側方洗浄経路３９に切換える切換弁１７と、小便器１０の上部に取付けられた人体検知センサ１２の検出信号に基づいて開閉弁１６を開弁または閉弁させるとともに、スイッチ１４を使用者が操作することにより切換弁１７を切換えつつ開閉弁１６を所定時間だけ開弁させる制御部１８とを備えている。
【００１７】
次に、第一の実施例における洗浄動作について説明する。
人体検知センサ１２が使用者の小便器１０への接近を検知すると、制御部１８は洗浄ノズル３０の給水経路が中央洗浄経路３８になるように切換弁１７を切換える。続いて、人体検知センサ１２が使用者の小便器１０への接近を検知しなくなると、制御部１８は予め設定された所定時間だけ開閉弁１６を開弁させる。
【００１８】
開閉弁１６が開弁されると、洗浄水は給水源から定流量弁１５に入り所定の流量に調整された後、開閉弁１６および切換弁１７を経由して、洗浄ノズル３０の中央洗浄経路３８を経て洗浄ノズル３０の下方に穿設された吐出口３１からボウル２０に吐出され、主にボウル２０の中央を洗浄しつつ流下してボウル２０の底面の排水口より排出される。この時、洗浄ノズル３０から吐出される洗浄水の流量は、定流量弁１５によって給水圧力が高く変動したとしても所定の流量に調整されているので、洗浄水がボウル２０の外側に飛出したり、洗浄水を無駄に供給することを防止できる。
【００１９】
一方、使用者がスイッチ１４を操作すると、制御部１８は洗浄ノズル３０の給水経路が側方洗浄経路３９になるように切換弁１７を切換えた後、予め設定された所定時間だけ開閉弁１６を開弁させる。
【００２０】
開閉弁１６が開弁されると、洗浄水は給水源から定流量弁１５に入り所定の流量に調整された後、開閉弁１６および切換弁１７を経由して、洗浄ノズル３０の側方洗浄経路３９を経て洗浄ノズル３０の両側方に夫々穿設された吐出口３２からボウル２０に吐出され、図１の斜線部Ｓに示されるボウル２０の上部側方を洗浄しつつ流下してボウル２０の底面の排水口より排出される。この結果、通常の使用における洗浄動作、すなわち人体検知センサ１２の検知信号に基づく洗浄動作では、十分に洗浄されていないボウル２０の洗浄ノズル３０の側方や上方も洗浄できるので、黄ばみや異臭発生等を抑制することができる。
【００２１】
図３は、本発明に係る小便器の第二の実施例の概略図である。
図３において、小便器１０は正面に開口を有するボウル２０と、ボウル２０の上方に設けられボウル２０を洗浄するための洗浄水を吐出する洗浄ノズル３０と、ボウル２０よりも上側の小便器１０に内蔵され、洗浄ノズル３０に洗浄水を供給する図示しない洗浄水供給装置とを備えている。
【００２２】
ボウル２０は、後壁と前壁、側壁および上面と底面によって構成され、正面には前壁の上方を切欠くようにして形成された上下方向に長い開口を有している。後壁の上方には洗浄ノズル３０が取付けられ、後壁および側壁、前壁には洗浄ノズル３０から吐出された洗浄水を前壁の内面に導くための導水段２２を備えている。また、底面の略中央には、ボウル２０でうけた小便や洗浄水を排出するための図示しない排水口が設けられている。
【００２３】
図４は洗浄ノズル３０の正面拡大図である。洗浄ノズル３０は、主にボウル２０の中央に洗浄水を吐出するために下方に吐出口３１が穿設された中央洗浄用ノズル３０Ａと、主にボウル２０の側方に洗浄水を吐出するために両側方にの吐出口３２が夫々穿設された側方洗浄用ノズル３０Ｂの２種類がある。中央洗浄用ノズル３０Ａと側方洗浄用ノズル３０Ｂの夫々は、基端側に筒状の差込口３３が形成され、差込口３３の外周にはＯリングが取付けられており、このＯリングの弾性変形を利用して上流側が給水源に接続された洗浄水供給装置の下流側に嵌め込まれている。
【００２４】
洗浄給水装置は、上流側から順にボウル２０に供給される洗浄水の流量を給水圧力にかかわらず所定の圧力に調整するための減圧弁と、洗浄水を供給または停止させる開閉弁と、小便器１０の上部に取付けられた人体検知センサ１２の検出信号に基づいて開閉弁を所定時間だけ開弁させる制御部とを備えている。尚、減圧弁によって減圧弁の下流側の圧力を所定の圧力に減圧しているので、中央洗浄用ノズル３０Ａや側方洗浄用ノズル３０Ｂは、Ｏリングの弾性変形を利用して洗浄水供給装置に嵌め込まれて固定されたものであるが、給水圧力によって抜け落ちることはない。
【００２５】
次に、第二の実施例における洗浄動作について説明する。
通常使用する場合、洗浄ノズル３０は中央洗浄用ノズル３０Ａが装着されている。
この場合、人体検知センサ１２が使用者の小便器１０への接近を検知すると、制御部は予め設定された所定時間だけ開閉弁を開弁させる。
【００２６】
開閉弁が開弁されると、洗浄水は給水源から減圧弁に入り所定の圧力に調整された後、開閉弁を経由して、中央洗浄用ノズル３０Ａの吐出口３１からボウル２０に吐出され、主にボウル２０の中央を洗浄しつつ流下してボウル２０の底面の排水口より排出される。この時、中央洗浄用ノズル３０Ａから吐出される洗浄水は、減圧弁によって給水圧力が高く変動したとしても所定の圧力に調整されているため、流量も所定となるので、洗浄水がボウル２０の外側に飛出したり、洗浄水を無駄に供給することを防止できる。
【００２７】
一方、清掃時には、清掃者が中央洗浄用ノズル３０Ａを引き抜き、代わりに側方洗浄用ノズル３０Ｂを差し込んで交換する。人体検知センサ１２に清掃者が手をかざすなどすると、開閉弁が開弁され、洗浄水は給水源から減圧弁に入り所定の圧力に調整された後、開閉弁を経由して、側方洗浄用ノズル３０Ｂの吐出口３２よりボウル２０に吐出され、主にボウル２０の側方を洗浄しつつ流下してボウル２０の底面の排水口より排出される。この結果、中央洗浄用ノズル３０Ａにおける洗浄では、十分に洗浄されていないボウル２０の中央洗浄用ノズル３０Ａの側方や上方も洗浄できるので、黄ばみや異臭発生等を抑制することができる。この時、側方洗浄用ノズル３０Ｂから吐出される洗浄水は、減圧弁によって給水圧力が高く変動したとしても所定の圧力に調整されているため、流量も所定となるので、洗浄水がボウル２０の外側に飛出したり、洗浄水を無駄に供給することを防止できる。
【００２８】
尚、本発明は上記の実施例に限定されず、例えばノズル３０はＯリングの弾性変形を利用して上流側が給水源に接続された洗浄水供給装置の下流側に嵌め込まれている代わりに、機械的勘合で上流側が給水源に接続された洗浄水供給装置の下流側に嵌め込まれていてもよく、またノズルの種類も３種類以上あってもよい。
【００２９】
図５は、本発明に係る小便器の第三の実施例の概略図である。
図５において、小便器１０は正面に開口を有するボウル２０と、ボウル２０の上方に設けられボウル２０を洗浄するための洗浄水を吐出する洗浄ノズル３５と、小便器１０の収納部１１に内蔵され、洗浄ノズル３５に洗浄水を供給する図示しない洗浄水供給装置とを備えている。
【００３０】
ボウル２０は、後壁と前壁、側壁および上面と底面によって構成され、正面には前壁の上方を切欠くようにして形成された上下方向に長い開口を有している。後壁の上方には洗浄ノズル３５が取付けられ、後壁および側壁、前壁には洗浄ノズル３５から吐出された洗浄水を前壁の内面に導くための導水段２２を備えている。また、底面の略中央には、ボウル２０でうけた小便や洗浄水を排出するための図示しない排水口が設けられている。
【００３１】
図６は洗浄ノズルと通水経路の概略図である。洗浄ノズル３５は、上流側が給水源に接続された洗浄水供給装置の下流側に可撓性を有する伸縮自在な連結管４０を介して接続されており、洗浄ノズル３５には洗浄スイッチ５０と流量調整ツマミ５１とを備えている。洗浄水は洗浄スイッチ５０をＯＮ／ＯＦＦすることにより、洗浄ノズル下方の吐出口３１より吐出され、流量調整ツマミ５１を回す事により流量の調整が可能である。
【００３２】
洗浄給水装置Ｂは、上流側から順にボウル２０に供給される洗浄水の流量を給水圧力にかかわらず所定の圧力に調整するための減圧弁５２と、洗浄水を供給または停止させる開閉弁１６と、洗浄水の流量を調整するための可変絞りを備えた流量調整弁５４と、小便器１０の上部に取付けられた人体検知センサ１２の検出信号基づいて開閉弁１６を開弁または閉弁させるとともに、洗浄スイッチ５０と流量調整ツマミ５１を使用者が操作することにより開閉弁１６の開閉と流量調整弁５４の弁開度を調整させる制御部１８とを備えている。尚、減圧弁５２によって減圧弁５２の下流側の圧力を所定の圧力に減圧しているので、流量調整弁５４の弁開度を一定にした場合は、給水圧力の変動にかかわらず所定の流量が得られ、また流量調整弁５４の弁開度を最大にしても必要以上には流れない様に調整されている。
【００３３】
次に、第三の実施例における洗浄動作について説明する。
人体検知センサ１２が使用者の小便器１０への接近を一定時間検知した後、人体検知センサ１２が使用者の小便器１０への接近を検知しなくなると、制御部１８は予め設定された所定時間だけ開閉弁１６を開弁させる。
【００３４】
開閉弁１６が開弁されると、洗浄水は給水源から減圧弁５２に入り所定の圧力に調整された後、開閉弁１６を経由して、流量調整弁５４に入り所定の流量に調整され、洗浄ノズル３５からボウル２０に吐出され、主にボウル２０の中央を洗浄しつつ流下してボウル２０の底面の排水口より排出される。この時、洗浄ノズル３５から吐出される洗浄水の流量は、減圧弁によって給水圧力が高く変動したとしても所定の圧力に調整され、さらに流量調整弁５４によって所定の流量に調整されているので、洗浄水がボウル２０の外側に飛出したり、洗浄水を無駄に供給することを防止できる。
【００３５】
一方、洗浄ノズル３５は可撓性を有する伸縮自在な連結管４０を介して洗浄給水装置Ｂに接続されており、使用者は洗浄ノズル３５を下方に引くことにより、小便器１０の上方の収納部１１に収納されている連結管４０が小便器１０から引き出され、洗浄ノズル３５を小便器１０から引き出すことができる。
【００３６】
洗浄ノズル３５にある洗浄スイッチ５０を操作すると、制御部１８は開閉弁１６を開弁させ、流量調整ツマミ５１を回すと流量調整弁５４の弁開度が調整される。開閉弁１６が開弁されると、洗浄水は給水源から減圧弁５２に入り所定の圧力に調整された後、開閉弁１６を経由して、流量調整弁５４に入り所定の流量に調整され、洗浄ノズル３５から吐出される。このとき洗浄ノズル３５は可撓性を有する伸縮自在な連結管４０によって洗浄給水装置Ｂと接続されているので、使用者は洗浄ノズル３５を小便器１０に差し込んだ状態での洗浄動作では、十分に洗浄されていないボウル２０の洗浄ノズル３５の側方や上方も洗浄できるので、黄ばみや異臭発生等を抑制することができる。
【図面の簡単な説明】
【図１】本発明に係る小便器の第一の実施例の概略図を示す。
【図２】洗浄ノズルと通水経路の概略図を示す。
【図３】本発明に係る小便器の第二の実施例の概略図を示す。
【図４】洗浄ノズルの正面拡大図を示す。
【図５】本発明に係る小便器の第三の実施例の概略図を示す。
【図６】洗浄ノズルと通水経路の概略図を示す。
【図７】従来の小便器の概略図である。
【符号の説明】
１０…小便器本体
１１…収納部
１２…人体検知センサ
１４…スイッチ
１５…定流量弁
１６…開閉弁
１７…切替弁
１８…制御部
２０…ボウル
２２…導水段
３０…洗浄ノズル
３０Ａ…洗浄ノズル
３０Ｂ…洗浄ノズル
３１…吐出口
３２…吐出口
３５…洗浄ノズル、
３８…中央洗浄経路
３９…側方洗浄経路
４０…連結管、
５０…洗浄ボタン
５１…流量調整ボタン
５２…減圧弁
５４…流量調整弁
【図１】
2004150013.tif 000003
【図２】
2004150013.tif 000004
【図３】
2004150013.tif 000005
【図４】
2004150013.tif 000006
【図５】
2004150013.tif 000007
【図６】
2004150013.tif 000008
【図７】
2004150013.tif 000009